(57)【要約】【課題】  人工地盤の排水性能の低下を防止しつつ、設計自由度を大幅に拡大し得る人工地盤用壁体及びそれを用いた緑化設備を提供する。【解決手段】  上面に排水勾配を形成した人工地盤２に対して施工される人工地盤用壁体３であって、人工地盤２の上面に沿った水の流れを許容する支持台１０と、支持台１０上に施工した壁本体１３とを備えた人工地盤用壁体３を、人工地盤２上に植栽領域７を区画するように設置し、植栽領域７に排水マット３０を敷設し、その上に客土３１を盛って、人工地盤２の上に緑化設備１を施工した。【選択図】        図２
2005185247.tif 000002
【特許請求の範囲】
【請求項１】
上面に排水勾配を形成した人工地盤に対して施工される人工地盤用壁体であって、
前記人工地盤の上面に沿った水の流れを許容する支持台と、
前記支持台上に施工した壁本体と、
を備えたことを特徴とする人工地盤用壁体。
【請求項２】
前記支持台として、略平坦な載置部と載置部の両側から下方へ延びる脚部とを有し、両脚部の少なくとも下端部に複数の排水孔を形成し、開口側を下側へ向けて壁体の施工位置に沿って人工地盤の上面に連設した複数の支持台を備えた請求項１記載の人工地盤用壁体。
【請求項３】
前記支持台の両脚部の下端に人工地盤の上面に沿って外方へ延びるフランジ部を形成した請求項２記載の人工地盤用壁体。
【請求項４】
前記支持台に両脚部の開脚を防止する補強部材を設けた請求項１又は２記載の人工地盤用壁体。
【請求項５】
隣接する支持台の突き合わせ部分を覆うカバー部材を設け、このカバー部材により隣接する支持台を結合した請求項１〜４のいずれか１項記載の人工地盤用壁体。
【請求項６】
前記壁本体が支持台上に積み重ねられた壁構成材からなる請求項１〜５のいずれか１項記載の人工地盤用壁体。
【請求項７】
前記支持台を壁構成材と略同じ長さに設定した請求項６記載の人工地盤用壁体。
【請求項８】
前記壁構成材がブロック、煉瓦、棒状体の１種または２種以上からなる請求項６又は７記載の人工地盤用壁体。
【請求項９】
前記支持台の載置部上に金網を固定し、金網上にモルタルを用いて壁構成材を施工した請求項６〜８のいずれか１項記載の人工地盤用壁体。
【請求項１０】
前記人工地盤が屋根スラブである請求項１〜９のいずれか１項記載の人工地盤用壁体。
【請求項１１】
前記人工地盤上に植栽領域を区画するように請求項１〜１０のいずれか１項記載の人工地盤用壁体を設置し、前記植栽領域内に排水マットを敷設し、その上に客土を盛ったことを特徴とする緑化設備。
【請求項１２】
前記支持台の外側の人工地盤上に排水マットを敷設して、その上に植栽を施した請求項１１記載の緑化設備。
【請求項１３】
前記植栽領域の外縁に沿って段差部を形成し、植栽領域をそれ以外の領域よりも一段低い位置に配置させ、段差部と支持台間に隙間が形成されるように人工地盤用壁体を施工して、該隙間に支持台の外側面を覆う、透水性を有する装飾帯を設けた請求項１１又は１２記載の緑化設備。
【発明の詳細な説明】
【技術分野】
【０００１】
本発明は、上面に排水勾配を形成した人工地盤用壁体及びそれを用いた緑化設備に関する。
【背景技術】
【０００２】
近年、温暖化等に対する都市環境の改善を目的として、オフィスビルやマンション等の屋上や立体遊歩道などのスペースを有効活用して設置可能な緑化設備が普及しつつある。このような緑化設備としては、屋上や遊歩道などの人工地盤に対して設置される大型プランタや、人工地盤上に直接的にブロックや煉瓦等を積み重ねて施工した緑化設備が実用化されている。
【０００３】
大型プランタとしては、プラスチック製の中空ブロックを縦方向及び横方向に接続固定しながら所定の形状に積み上げて壁部を形成し、この壁部で囲まれる内側底部に保水・排水用の導水手段を設け、この導水手段の上部に透水シートを敷設したものが提案されている（例えば、特許文献１参照。）。また、この種の大型プランタとして、下端に脚部を設け、大型プランタが屋上の排水を阻害しないように構成したものも提案されている（例えば、特許文献２参照。）。
【０００４】
【特許文献１】特開平８−８０１２６号公報
【特許文献２】特開２００３−３１００６０号公報
【発明の開示】
【発明が解決しようとする課題】
【０００５】
ところが、前記大型プランタでは、特許文献２記載のように脚部を備えさせることで、人工地盤全体の排水性能を低下させることなく大型プランタを人工地盤に設置することこができるが、工場等で予め製作したブロックを組み合わせて緑化設備を構成する関係上、緑化設備の形状やサイズに対する自由度が大幅に制約され、ユーザーのニーズに十分に応えることができない、という問題があった。
【０００６】
一方、煉瓦やブロックを積み重ねて施工する場合には、煉瓦やブロックを現場において割ったり削ったりするなどの加工を施すことで、方形状以外に円形や楕円形など任意形状の緑化設備を施工することが可能であるが、人工地盤に直接的に煉瓦やブロックを施工する関係上、人工地盤の排水性能を阻害するという問題があった。
【０００７】
本発明の目的は、人工地盤の排水性能の低下を防止しつつ、設計自由度を大幅に拡大し得る人工地盤用壁体及びそれを用いた緑化設備を提供することである。
【課題を解決するための手段】
【０００８】
本発明に係る人工地盤用壁体は、上面に排水勾配を形成した人工地盤に対して施工される人工地盤用壁体であって、前記人工地盤の上面に沿った水の流れを許容する支持台と、前記支持台上に施工した壁本体とを備えたものである。
【０００９】
この人工地盤用壁体においては、人工地盤の上面に沿った水の流れを許容する支持台上に壁本体を施工するので、人工地盤用壁体が人工地盤の上面の排水性を阻害する障害物になることを防止でき、人工地盤の排水性を低下させることなく壁体を施工することができる。また、壁本体は、支持台上にブロックや煉瓦を積み重ねたり、パネルや木材を設置したりして施工することになるが、支持台と壁本体間に施工するモルタルの厚さを調整することで、壁本体の上端の高さを壁本体の全長に亙って略同じ高に設定できるので、周知の施工方法を採用でき、しかも支持台に関しても、アルミニウム合金などの現場において加工し易い金属材料を採用できるので、直線状や方形状のみならず、円弧状や楕円状に施工することも可能となり、人工地盤に対する壁体の設計自由度を格段に拡大できる。
【００１０】
ここで、前記支持台として、略平坦な載置部と載置部の両側から下方へ延びる脚部とを有し、両脚部の少なくとも下端部に複数の排水孔を形成し、開口側を下側へ向けて壁体の施工位置に沿って人工地盤の上面に連設した複数の支持台を備えること、前記支持台の両脚部の下端に人工地盤の上面に沿って外方へ延びるフランジ部を形成すること、前記支持台に両脚部の開脚を防止する補強部材を設けること、隣接する支持台の突き合わせ部分を覆うカバー部材を設け、このカバー部材により隣接する支持台を結合すること、前記壁本体が支持台上に積み重ねられた壁構成材からなること、前記支持台を壁構成材と略同じ長さに設定すること、前記壁構成材がブロック、煉瓦、棒状体の１種または２種以上からなること、前記支持台の載置部上に金網を固定し、金網上にモルタルを用いて壁構成材を施工すること、前記人工地盤が屋根スラブであること、などが好ましい実施例である。
【００１１】
本発明に係る緑化設備は、前記人工地盤上に植栽領域を区画するように前記人工地盤用壁体を設置し、前記植栽領域内に排水マットを敷設し、その上に客土を盛ったものである。
【００１２】
この緑化設備においては、植栽領域内における人工地盤上の排水性が支持台及び排水マットにより確保され、人工地盤上の排水性を低下させることなく緑化設備を人工地盤上に施工できる。しかも、前記人工地盤用壁体を用いているので、人工地盤に対する壁体の設計自由度を格段に拡大でき、正方形や長方形などの多角形状の緑化設備は云うまでもなく、円形や楕円形、あるいはこれらを任意に組み合わせた緑化設備を製作することができる。また、人工地盤用壁体のみを用いて植栽領域を区画することも可能であるが、建築物の壁等を一部に利用して植栽領域を区画して、緑化設備を施工することも可能である。
【００１３】
ここで、前記支持台の外側の人工地盤上に排水マットを敷設して、その上に植栽を施すこと、前記植栽領域の外縁に沿って段差部を形成し、植栽領域をそれ以外の領域よりも一段低い位置に配置させ、段差部と支持台間に隙間が形成されるように人工地盤用壁体を施工して、該隙間に支持台の外側面を覆う、透水性を有する装飾帯を設けること、などが好ましい実施例である。
【発明の効果】
【００１４】
本発明に係る人工地盤用壁体によれば、人工地盤の上面に沿った水の流れを許容する支持台上に壁本体を施工するという簡単な構成で、人工地盤の排水性を低下させることなく壁体を施工することができる。しかも、このような壁本体は、周知の施工方法で構築できるので、直線状や方形状のみならず、円弧状や楕円状に施工することも可能となり、人工地盤に対する壁体の設計自由度を格段に拡大できる。
【００１５】
ここで、前記支持台として、略平坦な載置部と載置部の両側から下方へ延びる脚部とを有し、両脚部の少なくとも下端部に複数の排水孔を形成し、開口側を下側へ向けて壁体の施工位置に沿って人工地盤の上面に連設した複数の支持台を備えると、金属板をプレス加工するなどして支持台を容易に製作することができる。
【００１６】
前記支持台の両脚部の下端に人工地盤の上面に沿って外方へ延びるフランジ部を形成すると、支持台を人工地盤にボルト等で固定することなく壁体の外倒れや内倒れを防止して、人工地盤に対する壁体の設置安定性を向上できる。また、ビル等の建築物の屋上に壁体を施工する場合において、屋上防水を破壊することなく壁体を施工できる。しかも、人工地盤に対してボルト等で固定することなく安定設置できるので、壁体の配置換えにも容易に対応できる。
【００１７】
前記支持台に両脚部の開脚を防止する補強部材を設けると、支持台を薄肉軽量に構成しつつ、壁本体の自重に対する支持台の強度を向上でき、支持台の製作コストを安くできる。
【００１８】
隣接する支持台の突き合わせ部分を覆うカバー部材を設け、このカバー部材により隣接する支持台を結合すると、壁体の基礎としての支持台の強度を向上できる。また、平面視において長方形状や正方形状の支持台を用いると、これを円弧状や湾曲状等に連設したときに、隣接する支持台間に略楔形状の開口が形成されるが、本発明のようなカバー部材を設けると、この開口を覆うことができるので、隣接する支持台の突き合わせ部分から、壁本体の施工用のモルタルや、本発明の壁体を緑化設備に用いた場合における、支持台内への客土の侵入を効果的に防止できる。
【００１９】
前記壁本体を支持台上に積み重ねられた壁構成材、例えばブロックや煉瓦や棒状体の１種または２種以上で構成すると、既存の施工法で壁本体を施工でき、平面視において直線状やＬ字状や方形状だけでなく、円形や楕円形などの曲線状、或いはこれらを任意に組み合わせた形状の壁体を製作することが可能となる。また、前記支持台を壁構成材と略同じ長さに設定すると、壁構成材が支持台の上方外へ突出することを防止でき、円形や楕円形などの曲線状した壁体を製作する場合においても、壁本体を無理なく支持台に設置することが可能となる。
【００２０】
前記支持台の載置部上に金網を固定し、金網上にモルタルを用いて壁構成材を施工すると、支持台とその上に施工されるモルタルとの結合強度を高めて、支持台に対する壁本体の取り付け強度を向上できる。しかも、モルタルの厚さを調整することで、壁本体の上端の高さを壁全長に亙って略同高に設定することが可能となる。
【００２１】
前記人工地盤が屋根スラブである場合には、屋根スラブの排水性を良好に維持でき、しかも屋根スラブの防水性を破壊することなく壁体を施工できる。
【００２２】
本発明に係る緑化設備によれば、植栽領域内における人工地盤上の排水性が支持台及び排水マットにより確保され、人工地盤上の排水性を低下させることなく緑化設備を設置することができる。しかも、前記人工地盤用壁体を用いているので、人工地盤に対する壁体の設計自由度を格段に拡大でき、正方形や長方形などの多角形状の緑化設備は云うまでもなく、円形や楕円形、あるいはこれらを任意に組み合わせた形状の緑化設備を製作することができる。また、建築物の壁等を利用して、植栽領域を区画した緑化設備を製作することもできる。
【００２３】
ここで、前記緑化設備において、前記支持台の外側の人工地盤上に排水マットを敷設して、その上に植栽を施すと、人工地盤の排水性を良好に維持しつつ、支持台が露出することによる緑化設備の意匠性低下を防止できる。また、既設の建築物に対しても、建築物に何ら加工を施すことなくこの緑化設備を施工できる。
【００２４】
前記植栽領域の外縁に沿って段差部を形成し、植栽領域をそれ以外の領域よりも一段低い位置に配置させ、段差部と支持台間に隙間が形成されるように人工地盤用壁体を施工して、該隙間に支持台の外側面を覆う、透水性を有する装飾帯を設けると、人工地盤の排水性を確保しつつ装飾帯により支持台が外部に露出することを防止して、緑化設備の意匠性を向上できる。また、段差部を支持台の高さと略同じ或いはそれよりもやや大きく設定すると、装飾帯と壁本体とが連続的に連なって配置されるので意匠性に優れたものとなる。
【発明を実施するための最良の形態】
【００２５】
以下、本発明の実施の形態について図面を参照しながら説明する。
【００２６】
図１、図２に示すように、緑化設備１は、上面に排水勾配を形成した人工地盤２上に施工したもので、緑化設備１の施工位置の外縁に沿って設置される人工地盤用壁体３と、人工地盤用壁体３の内側の内部植栽領域（これが植栽領域に相当する）７に施工される内部植栽部４と、人工地盤用壁体３の外側に施工される外部植栽部５とを備えている。この緑化設備１では、緑化設備１の下端の略全面に亙って人工地盤２の上面に沿った水の流れを許容するように構成することで、緑化設備１が人工地盤２の上面における排水の障害物にならないように構成されている。緑化設備１は、人工地盤２上に直接的に設置することも可能であるが、人工地盤２への植栽の根の侵入を防止するため、合成繊維や天然繊維からなる透水性に優れた織布や不織布に根が嫌う薬剤を含浸させた遮根シート６を敷設した状態で設置することが好ましい。
【００２７】
この緑化設備１は、オフィスビルやマンション等の屋上スラブ、空中庭園や立体遊歩道などの床面など、上面に排水勾配を有する任意の人工地盤上に施工することができる。特に、本発明に係る緑化設備は、人工地盤２に対して何ら加工を施すことなく設置できるので、屋上スラブのように防水処理を施した人工地盤に好適に利用できる。
【００２８】
人工地盤用壁体３は、人工地盤２の上面に沿った水の流れを許容する支持台１０であって、内部植栽領域７の外縁に沿って連接した複数の支持台１０と、隣接する支持台１０を連結するとともに隣接する支持台１０の突き合わせ部分を覆うカバー部材１１と、支持台１０上に複数の壁構成材１２を設置して施工した壁本体１３とを備えている。尚、この人工地盤用壁体３は、緑化設備１とは独立に人工地盤２に設置して利用することも可能で、例えば休憩所等の囲いを構成したり、人工地盤を区画する隔壁として利用したりすることもできる。
【００２９】
支持台１０は、図３に示すように、アルミニウム合金やステンレスや鉄などの金属板をプレス成形して製作したもので、壁本体１３を設置するための略平坦な載置部１０ａと、載置部１０ａの両側から下方へ延びる１対の脚部１０ｂと、脚部１０ｂの下端から外方側へ延びるフランジ部１０ｃとを有している。支持台１０を構成する素材として、金属材料以外に合成樹脂材料や木材を用いることも可能であるが、強度剛性を十分に確保するため金属材料を用いることが好ましく、特にアルミニウム合金からなるものは軽量且つ加工性に優れ、作業現場でも寸法調整等の加工が可能なので好ましい。
【００３０】
脚部１０ｂの少なくとも下端部には複数の排水孔１４が形成されている。排水孔１４の形状は、丸孔状や角穴状、細長いスリット状や十文字状、ハート形や星形、或いはこれらの組み合わせなど任意の形状に形成可能である。また、千鳥状に配置してもよいし、縦横の行列状に配置してもよい。更に、スリット状に形成する場合には、縦方向に細長く形成してもよいし、横方向に細長く形成してもよいし、斜め方向に細長く形成してもよい。更に、全ての排水孔１４は、同じサイズに設定してもよいが、意匠性を向上させるなどの目的で、異なるサイズの排水孔１４を形成してもよく、例えば上側へ行くにしたがってサイズを小さく設定してもよい。
【００３１】
排水孔１４は脚部１０ｂの全面に設けることも可能ではあるが、脚部１０ｂの強度が低下するので、脚部１０ｂの下半部にのみ形成することが好ましく、排水性能をできるだけ良好に確保するため、脚部１０ｂの下端部から、少なくとも排水マット３０の上面に対応する位置まで形成することが好ましい。特に、脚部１０ｂとフランジ部１０ｃとの境界部にまで排水孔１４を形成すると、排水性を向上できるとともに、フランジ部１０ｃを折曲形成するときの加工性を向上できるので好ましい。また、排水孔１４は、脚部１０ｂの長手方向の全長に亙って連続的に形成することも可能であるが、図３に示すように、一定間隔おきに排水孔１４を有しない部分を設けると、支持台１０の強度を一層向上できる。
【００３２】
排水孔１４の直径は、排水性を十分に確保しつつ脚部１０ｂの強度を十分に確保するため４〜６ｍｍに設定することが好ましい。排水マット３０に対面する部分における脚部１０ｂの単位長さあたりに対する排水孔１４の総開口面積は、１２０００〜３００００ｍｍ2／ｍに設定され、開口率は３０〜６５％に設定されている。このように設定すると、十分な排水性能を確保しつつ、支持台１０の機械的強度を向上できるので好ましい。
【００３３】
載置部１０ａの幅は、支持台１０上に施工する壁本体１３の厚さに応じて任意に設定でき、基本的には、壁本体１３と同幅或いはそれよりもやや広幅に設定されている。また、フランジ部１０ｃの幅は、壁本体１３の高さに応じて設定できるが、基本的には、客土３１の土圧で壁本体１３が外倒れしないサイズに設定されている。
【００３４】
支持台１０の長さ及び形状は、施工する壁体３の平面形状に応じて任意に設定可能であるが、緑化設備毎に支持台を製作することは、製作コストが高くなるとともに施工作業が煩雑になるので、複数種類の基準サイズの支持台を製作し、これを任意に組み合わせて内部植栽領域７の外縁形状に応じて連設することになる。
【００３５】
具体的には、内部植栽領域７の外縁の直線部分に設置する支持台１０として、図４（ａ）（ｂ）に示すように、載置部１０ａを略長方形状となした、長尺な支持台１０Ａ及び短尺な支持台１０Ｂを設け、図５に示すように、内部植栽領域７の外縁の外側へ突出する曲線部分に設置する支持台１０として、図４（ｃ）に示すように、両端部を斜めに切り落とした平面視台形状の短尺な支持台１０Ｃを設け、図６に示すように、内部植栽領域７の外縁の内側へ突出する曲線部分に設置する支持台１０として、図４（ｄ）に示すように、載置部１０ａの平面形状を略長方形状となし、一方のフランジ部１０ｃの両端部を斜めに切り落とした短尺な支持台１０Ｄを設け、図７に示すように、直角に配置する支持台１０として、図４（ｅ）、図８に示すように、一方のフランジ部１０ｃを省略し、他方のフランジ部１０ｃに隣接させてフランジ部１０ｄを形成した短尺な支持台１０Ｅを設けることになる。そして、例えば、図９に示すように、直線部分には支持台１０Ａ又は支持台１０Ｂを設置し、内側へ湾曲する部分には支持台１０Ｄを設置し、角部には必要に応じて支持台１０Ｅを設置することになる。
【００３６】
支持台１０の長さは、基本的には、壁構成材１２の長さの整数倍或いは整数分の１の長さに設定することになり、壁構成材１２の長さが４００ｍｍの場合には、支持台１０Ａの載置部１０ａの長さを２０００ｍｍに設定し、支持台１０Ｂ、１０Ｃ、１０Ｄの載置部１０ａの長さを４００ｍｍに設定し、支持台１０Ｃの載置部１０ａの長さを２００ｍｍに設定することになる。
【００３７】
尚、図１に示すように、支持台１０に両脚部１０ｂが開脚することを防止するため、支持台１０の長さ方向に適当間隔おきに両脚部１０ｂを連結する補強部材１７を両脚部１０ｂに架設状に設けてもよい。
【００３８】
カバー部材１１は、図１、図５、図６に示すように、金属材料或いは合成樹脂材料からなる板状部材を側面視略クランク状に成形したもので、支持台１０の載置部１０ａと一方の脚部１０ｂ及びフランジ部１０ｃに亙って隣接する支持台１０の上面に設けられ、４本のビス１５にて隣接する支持台１０に固定されている。このカバー部材１１は、隣接する支持台１０を連結するとともに、曲線部分において隣接する支持台１０間に形成される楔形の開口１８を閉鎖して、内部植栽部４の客土３１が支持台１０内に侵入することを防止するためのものである。尚、カバー部材１１は、図１に示すように、網状部材２０の上側に固定することも可能であるが、網状部材２０と支持台１０間において支持台１０に固定することが好ましい。
【００３９】
壁本体１３は、支持台１０上に敷設固定した網状部材２０と、支持台１０上にモルタル２１を介在させて積み重ねた壁構成材１２と、壁構成材１２を貫通するように支持台１０に立設固定した縦筋２２と、上下に隣接配置した壁構成材１２間のモルタル２１に埋設した横筋２４とを備えている。
【００４０】
壁構成材１２は、軽量コンクリートや発泡コンクリートや合成樹脂材料や木製などからなる、周知の構成のブロックで構成されている。この壁構成材１２としては、ブロック以外に現場での加工が可能な煉瓦や、間伐材などからなる丸太や角材、合成木材などからなる棒状体などを好適に利用でき、ブロックと煉瓦と棒状体を任意に組み合わせて壁本体１３を構成することも可能である。また、壁本体１３に代えて、合成樹脂材料や金属材料や木材などからなるパネル状や棒状の壁構成材１２を、複数横に並べて施工してなる壁本体を採用することも可能である。
【００４１】
縦筋２２は、下端に螺子部２２ａを形成した金属棒で構成され、載置部１０ａの幅方向の中央部に形成した取付孔１９に上下１対のナット部材２３を用いて固定され、この縦筋２２は、壁構成材１２に貫通孔１２ａに充填したモルタル２１に埋設状に配置される。但し、この縦筋２２は、壁構成材１２として例えば煉瓦を使用する場合には省略することもできる。
【００４２】
網状部材２０は、支持台１０と壁本体１３との結合強度を高めるために設けられたもので、ワイヤーラスなどの金属網で構成され、載置部１０ａに形成した複数の固定孔２５にビス２６を締結することにより、ビス２６及び座金２７で載置部１０ａ上に固定され、この網状部材２０は、壁本体１３を施工した状態で、支持台１０と壁本体１３間のモルタル２１に埋設状に配置される。
【００４３】
このような壁本体１３は、周知の施工方法により支持台１０上に施工でき、例えば壁構成材１２としてブロックを用いる場合には、図１、図２に示すように、支持台１０上にモルタル２１を配置させてモルタル２１に網状部材２０を埋設させてから、支持台１０に設定間隔おきに立設固定した縦筋２２を壁構成材１２の貫通孔１２ａに挿通させて、支持台１０上にレベル調整しながら壁構成材１２を積み重ね、次に壁構成材１２の貫通孔１２ａ内にモルタル２１を詰めて、第１層目の壁構成材１２を順次施工し、次に第１層目の壁構成材１２上にモルタル２１を配置させて第２層目の壁構成材１２を順次積み重ねて施工し、第２層目以降は同様の作業を繰り返して順次施工することになる。壁構成材１２は、図１に示すように、水平方向にずらすことなく上下に積み重ねてもよいし、水平方向に半ピッチずらして千鳥上に積み重ねてもよい。また、壁構成材１２の積み重ね個数が多い場合には、上下の壁構成材１２間に適当間隔おきに横筋２４を配置させることになる。
【００４４】
内部植栽部４は、図２に示すように、内部植栽領域７の人工地盤２の略全面に敷設される排水マット３０と、内部植栽領域７内において排水マット３０上に盛土した客土３１とを備えている。
【００４５】
排水マット３０は、耐圧強度を付与するための合成樹脂製の繊維材からなる図示外の芯材と、芯材よりも細かいメッシュの網状の合成樹脂製の繊維材からなり、芯材の少なくとも上下両面と長手方向両側の左右両側面に外装した表面材とからなり、表面材を芯材に熱融着させて、両者を一体化させた空隙の多い網状構造に構成されている。但し、十分な耐圧強度と排水性能を確保でき、しかも安価に製作可能なものであれば、任意の構成の排水マット３０を採用することが可能である。排水マット３０の素材としては、耐環境性に優れ十分な耐圧強度を確保できるものであれば任意の素材を採用でき、例えばポリエチレンやポリプロピレンやポリエチレンテレフタレートなどの合成樹脂材料を好適に利用できる。特に、ポリプロピレンは、耐酸性、耐アルカリ性、耐微生物性などに優れた特性を有するので好適である。排水マット３０の厚さは、支持台１０の高さと同等或いはやや低く設定され、２０ｍｍ未満の場合には、十分な通水性能を確保できず、５０ｍｍを越えると排水マット３０の製作コストが高くなるので、２０〜５０ｍｍに設定されている。
【００４６】
排水マット３０は、予め内部植栽領域７の平面形状に応じて製作したものを敷設してもよいが、例えば４００ｍｍ×８００ｍｍなどの設定サイズの排水マット３０を複数敷設してもよい。また、複数の排水マット３０を敷設する場合には、排水マット３０を密接配置することも可能であるが、相互に一定間隔あけて排水マット３０を敷設し、隣接する排水マット３０間を排水通路として活用することも可能である。具体的には、排水通路の施工位置に支持台１０を設置し、排水マット３０の側縁を支持台１０のフランジ部１０ｃ上に載置した状態で排水マット３０を施工し、支持台１０内部に排水通路を形成することができる。また、この場合には、排水通路の端部を内部植栽領域７の外縁に沿って配置される支持台１０の内部空間に連通させると、排水性能を一層向上できるので好ましい。
【００４７】
客土３１としては、周知慣用のものを利用でき、軽量土３２と培養土３３を用い、培養土が排水マット３０に侵入しないように、排水マット３０上に軽量土３２を所定厚さ配置させた後、植栽３４をセットして培養土３３を盛土することになる。
【００４８】
外部植栽部５は、図２に示すように、支持台１０の外側に沿って遮根シート６上に敷設した、前記排水マット３０と同様の構成の排水マット４０と、専用軽量土や専用マットに芝生等の任意の植物を植えた植栽層４１とから構成されている。外部植栽部５は、支持台１０の側面が外部に露出することによる緑化設備１の外観低下を防止するためのもので、人目につかない部分に関しては省略できる。また、外部植栽部５に代えて、排水性を十分に確保するためにパンチング孔などを形成した化粧パネルなどからなるカバー部材を支持台１０の外側に沿って設けたり、砂利等を支持台１０の外側に沿って敷設して支持台１０の側面が外部に露出しないように構成したりするなど、外部植栽部５以外の構成を支持台１０の外側に沿って設けることも可能である。また、建築物を新設する場合には、図１０示す緑化設備１Ａのように、人工地盤２に対する緑化設備１Ａの施工面を他の部分よりも一段低く設定し、段差部４５から一定間隔あけて人工地盤用壁体３を施工し、人工地盤用壁体３と段差部４５間に排水マット４０を敷設して、その上に砂利４６を敷設することで、支持台１０が外部に露出することを防止する帯状の装飾帯４７を人工地盤用壁体３に沿って形成してもよい。
【００４９】
この緑化設備１においては、人工地盤用壁体３の支持台１０と内外の植栽部の排水マット３０、４０により、緑化設備１の下方においても人工地盤２の上面に沿った水の流れが許容されるので、緑化設備１を設置しつつ人工地盤２の排水性を良好に維持できる。また、支持台１０上に壁本体１３を施工して人工地盤用壁体３を構成するので、ブロック等を用いて人工地盤２に対して直接的に壁体を施工する場合と同様に、支持台１０の上面に載せるモルタル２１により人工地盤用壁体３の高さを略全長にわたって同高に設定できるとともに、施工現場において壁構成材１２や支持台１０を加工して、任意な平面形状の緑化設備１を施工できる。しかも、支持台１０は、人工地盤２上に単に設置しているだけであり、ボルト等を用いて人工地盤２に固定する必要がないので、人工地盤２の防水性が破壊されることもない。また、既設の建築物の人工地盤２に対しても人工地盤２側の構成を何ら変更することなく、緑化設備１を施工することができる。更に、支持台１０の外側に外部植栽部５を形成しているので、支持台１０の脚部１０ｂやフランジ部１０ｃが外部に露出することによる外観低下を防止できる。
【００５０】
尚、本実施例では、緑化設備１を独立な島状に施工する場合について説明したが、建築物の壁の一部を利用して緑化設備を施工することも可能である。また、支持台１０は、壁本体１３を設置するための土台として用いる以外に、モニュメント等の構造物の支持台として用いることも可能である。
【図面の簡単な説明】
【００５１】
【図１】人工地盤用壁体の斜視図
【図２】緑化設備の縦断面図
【図３】支持台の斜視図
【図４】（ａ）〜（ｅ）は基本サイズの各種支持台の平面図
【図５】緑化設備の外縁が外側へ突出する場合における支持台の設置状態を示す平面図
【図６】緑化設備の外縁が内側へ突出する場合における支持台の設置状態を示す平面図
【図７】緑化設備の外縁の角部における支持台の設置状態を示す平面図
【図８】角部に用いる支持台の斜視図
【図９】人工地盤に対する支持台の設置状態を示す平面図
【図１０】他の構成の緑化設備の縦断面図
【符号の説明】
【００５２】
１      緑化設備        ２      人工地盤
３      人工地盤用壁体  ４      内部植栽部
５      外部植栽部      ６      遮根シート
７      内部植栽領域
１０    支持台          １０ａ  載置部
１０ｂ  脚部            １０ｃ  フランジ部
１０ｄ  フランジ部
１０Ａ  支持台          １０Ｂ  支持台
１０Ｃ  支持台          １０Ｄ  支持台
１０Ｅ  支持台
１１    カバー部材      １２    壁構成材
１２ａ  貫通孔          １３    壁本体
１４    排水孔          １５    ビス
１７    補強部材        １８    開口
１９    取付孔          ２０    網状部材
２１    モルタル        ２２    縦筋
２２ａ  螺子部          ２３    ナット部材
２４    横筋            ２５    固定孔
２６    ビス            ２７    座金
３０    排水マット      ３１    客土
３２    軽量土          ３３    培養土
３４    植栽
４０    排水マット      ４１    植栽層
１Ａ    緑化設備        ４５    段差部
４６    砂利            ４７    装飾帯
【図１】
2005185247.tif 000003
【図２】
2005185247.tif 000004
【図３】
2005185247.tif 000005
【図４】
2005185247.tif 000006
【図５】
2005185247.tif 000007
【図６】
2005185247.tif 000008
【図７】
2005185247.tif 000009
【図８】
2005185247.tif 000010
【図９】
2005185247.tif 000011
【図１０】
2005185247.tif 000012